(57)【特許請求の範囲】
【請求項１】
下側に底壁部を有し、上側に側壁部で囲まれた開口部を有する容器本体と、
前記側壁部の上端部に前記開口部に沿って結合された枠部と、
前記枠部に第１方向に延びるヒンジ部を介して設けられ、前記ヒンジ部を支点として回動し前記開口部を開閉可能な蓋部と、
前記ヒンジ部を支点とする回動先端側の位置で前記蓋部と前記枠部とを着脱可能に嵌合させる第１嵌合部と、
前記第１嵌合部よりも前記ヒンジ部側の位置で前記蓋部と前記枠部とを着脱可能に嵌合させる第２嵌合部と、
を備え、
前記蓋部は、前記枠部を覆う側壁を有し、
前記側壁は、前記第１方向と直交する第２方向について前記第１嵌合部と前記第２嵌合部との間に配置され前記開口部側に開口する切欠部を有し、
前記第２嵌合部は、前記蓋部の第２方向の長さが１／２となる位置よりも前記ヒンジ部側に配置され、
前記切欠部は、前記蓋部の第２方向の長さが１／２となる位置よりも前記第１嵌合部側の位置に配置されることを特徴とする容器。
【請求項２】
前記切欠部は、前記蓋部における前記第１方向の両側にそれぞれ配置され、
前記蓋部の一方の前記切欠部と、他方の前記切欠部とを結ぶ方向に配置され、前記ヒンジ部側に対する前記回動先端側の前記蓋部の屈曲を可能とする屈曲補助部を有することを特徴とする請求項１に記載の容器。
【請求項３】
前記枠部および前記蓋部は、長辺部および短辺部を有する平面視矩形状であり、
前記第１嵌合部は前記長辺部と前記短辺部のいずれか一方に、前記第２嵌合部は前記第１嵌合部を有しない他方の辺部に、少なくとも１個所形成されていることを特徴とする請求項１または請求項２に記載の容器。
【請求項４】
前記蓋部は、端縁から前記側壁が延出する天壁部を有し、
前記切欠部は、前記天壁部に至る長さで設けられていることを特徴とする請求項１から請求項３のいずれか一項に記載の容器。
【請求項５】
前記第１嵌合部は、前記枠部に設けられた第１係合突部と、前記蓋部に設けられ前記蓋部が前記開口部を閉塞したときに前記第１係合突部が嵌合して前記蓋部の回動を規制する第１係合凹部とを含み、
前記第２嵌合部は、前記枠部に設けられた第２係合突部と、前記蓋部に設けられ前記蓋部が前記開口部を閉塞したときに前記第２係合突部が嵌合して前記蓋部の回動を規制する第２係合凹部とを含み、
前記蓋部は、前記第１係合凹部よりも回動方向の閉塞側に延出する第１把持部と、前記第２係合凹部よりも回動方向の閉塞側に延出する第２把持部とを有することを特徴とする請求項１から請求項４のいずれか一項に記載の容器。
【請求項６】
前記蓋部は、前記開口部を閉塞したときに前記枠部に外側から当接する外側壁部と、前記開口部を閉塞したときに前記枠部に内側から当接する内側壁部と、前記外側壁部の上側端部と前記内側壁部の上側端部とをつなぐ周辺部とを有し、
前記第１嵌合部における前記周辺部の下側の面には、前記第２方向に延びて前記内側壁部と前記外側壁部とを接続する第１リブと、前記第１方向に延びる第２リブとが格子状に設けられ、
前記第２嵌合部における前記周辺部の下側の面には、前記第１方向に延びて前記内側壁部と前記外側壁部とを接続する第３リブと、前記第２方向に延びる第４リブとが格子状に設けられていることを特徴とする請求項１から請求５のいずれか一項に記載の容器。
【発明の詳細な説明】
【技術分野】
【０００１】
本発明は、容器に関し、例えば、チャイルドプルーフに適した容器に関するものである。
【背景技術】
【０００２】
衣料用洗剤、食器用洗剤など一般家庭向けに用途別に多くの種類の洗浄剤が販売されている。例えば、衣料用洗剤分野では、粉体状や液体状の洗剤が存在し、濃縮化によるコンパクト化が進み、消費者が使用する際には所要量を的確に計量できるように計量スプーンが供えられたものが提供されている。近年、消費者のライフスタイルの変化により、洗剤組成物に手指を触れることなく取り出せ、計量済みの、予め小分けされた洗浄剤が販売されている（特許文献１参照）。
【０００３】
従来、小分けされた洗剤タイプとして、固形タイプ（粉体を錠剤化し、表面をＰＶＡ等で被覆）やシートタイプ（ペースト化した洗剤をＰＶＡ等で挟む）が存在し、近年、濃縮洗剤をＰＶＡフィルム等で被覆した液状タイプも販売されている。いずれの洗剤タイプにおいても、洗剤組成物を小分け形態とするためにＰＶＡフィルムで被覆し、所定数を容器に包装して販売し、消費者は容器を開封して洗濯時に必要数取り出して使用していた。小分けされた洗浄剤を包装する容器としては、例えば、特許文献２に記載されているように、容器ベースと、容器ベースにヒンジ接合された容器蓋とを備え、容器ベースと容器蓋とがヒンジ接合部を支点とした回動先端部で開閉可能に係合する容器を用いることが考えられる。
【先行技術文献】
【特許文献】
【０００４】
【特許文献１】特表２００４−５２５０３８号公報
【特許文献２】特表２００３−５１４７３０号公報
【発明の概要】
【発明が解決しようとする課題】
【０００５】
しかしながら、上述したような従来の容器では、蓋部を操作して開封することが容易であるため誤食や誤飲の可能性があり、チャイルドプルーフ対応の観点から子供が容器を容易に開封できない構成が必要であった。また、容器開封後、密封が不充分な場合にＰＶＡフィルムが吸湿して洗剤同士が接着してしまい、取り扱いによってはフィルムが破れ周囲を汚損する場合があるため、密封性を向上させる必要がある。
【０００６】
本発明は、以上のような点を考慮してなされたもので、容易に開封できない構成を有する容器を提供することを目的とする。
【課題を解決するための手段】
【０００７】
本発明の第１の態様に従えば、下側に底壁部を有し、上側に側壁部で囲まれた開口部を有する容器本体と、前記側壁部の上端部に前記開口部に沿って結合された枠部と、前記枠部に第１方向に延びるヒンジ部を介して設けられ、前記ヒンジ部を支点として回動し前記開口部を開閉可能な蓋部と、前記ヒンジ部を支点とする回動先端側の位置で前記蓋部と前記枠部とを着脱可能に嵌合させる第１嵌合部と、前記第１嵌合部よりも前記ヒンジ部側の位置で前記蓋部と前記枠部とを着脱可能に嵌合させる第２嵌合部と、を備え、前記蓋部は、前記枠部を覆う側壁を有し、前記側壁は、前記第１方向と直交する第２方向について前記第１嵌合部と前記第２嵌合部との間に配置され前記開口部側に開口する切欠部を有することを特徴とする容器が提供される。
【０００８】
また、上記本発明の一態様に係る容器において、前記切欠部は、前記蓋部における前記第１方向の両側にそれぞれ配置され、前記蓋部の一方の前記切欠部と、他方の前記切欠部とを結ぶ方向に配置され、前記ヒンジ部側に対する前記回動先端側の前記蓋部の屈曲を可能とする屈曲補助部を有することを特徴とする。
【０００９】
また、上記本発明の一態様に係る容器において、前記枠部および前記蓋部は、長辺部および短辺部を有する平面視矩形状であり、前記第１嵌合部は前記長辺部と前記短辺部のいずれか一方に、前記第２嵌合部は前記第１嵌合部を有しない他方の辺部に、少なくとも１個所形成されていることを特徴とする。
【００１０】
また、上記本発明の一態様に係る容器において、前記蓋部は、端縁から前記側壁が延出する天壁部を有し、前記切欠部は、前記天壁部に至る長さで設けられていることを特徴とする。
【００１１】
また、上記本発明の一態様に係る容器において、前記第１嵌合部は、前記枠部に設けられた第１係合突部と、前記蓋部に設けられ前記蓋部が前記開口部を閉塞したときに前記第１係合突部が嵌合して前記蓋部の回動を規制する第１係合凹部とを含み、前記第２嵌合部は、前記枠部に設けられた第２係合突部と、前記蓋部に設けられ前記蓋部が前記開口部を閉塞したときに前記第２係合突部が嵌合して前記蓋部の回動を規制する第２係合凹部とを含み、前記蓋部は、前記第１係合凹部よりも回動方向の閉塞側に延出する第１把持部と、前記第２係合凹部よりも回動方向の閉塞側に延出する第２把持部とを有することを特徴とする。
【発明の効果】
【００１２】
本発明では、チャイルドプルーフに対応した容易に開封できない構成を有する容器を提供することができる。
【図面の簡単な説明】
【００１３】
【図１】本発明の実施の形態を示す図であって、容器１の外観斜視図である。
【図２】図１におけるＡ−Ａ線視断面図（部分断面図）である。
【図３】図１に示した容器１の右側面図である。
【図４】図３に示す容器１において、蓋部２０が開いた状態を示す図である。
【図５】枠部４０およびヒンジ部３０の平面図である。
【図６】図１におけるＢ−Ｂ線視断面図である。
【図７】図１におけるＣ−Ｃ線視断面図である。
【図８】蓋部の回動動作を示す図である。
【発明を実施するための形態】
【００１４】
以下、本発明の容器の実施形態を、図１ないし図８を参照して説明する。ここでは、容器が平面視略矩形である場合の例を用いて説明する。図１は、容器１の外観斜視図である。なお、以下の説明においては、図１に示す容器１の高さ方向であり鉛直方向をＺ方向（Ｚ軸）、平面視したときの容器１の長辺方向（図１の左右方向）をＸ方向（Ｘ軸）、Ｚ方向およびＸ方向と直交する方向（短辺方向）をＹ方向（Ｙ軸）として適宜説明する。
【００１５】
図１に示す容器１は、容器本体５０と蓋体１０とを備えている。容器本体５０は、例えば、ポリスチレン等の合成樹脂材で形成されている。容器本体５０としては、内容物が視認可能な透明または半透明であっても不透明であってもよい。容器本体５０は、収容物の種類によっては紫外線吸収剤を含んでもよい。容器本体５０は、例えば、ブロー成形やインジェクション成形によって成形されている。
【００１６】
容器本体５０は、底壁部６０および側壁部７０を有している。底壁部６０は、側壁部７０の−Ｚ側（一端側）にＸＹ平面と平行に配置されている。側壁部７０は、底壁部６０の周縁から＋Ｚ側に立設されている。容器本体５０は、底壁部６０および側壁部７０によって囲まれた収容空間５５を有している。側壁部７０は、＋Ｚ側（他端側）に収容空間５５が開口する開口部５６を形成している（図２参照）。
【００１７】
図２は、図１におけるＡ−Ａ線視断面図（部分断面図）である。図２に示されるように、側壁部７０の＋Ｚ側の端部には、ＸＹ平面と平行に外側に張り出す張り出し部５１が全周に亘って設けられている。
【００１８】
図３は、図１に示した容器１の右側面図である。図４は、図３に示す容器１において、蓋部２０が開いた状態を示す図である。図５は、蓋部２０の図示を略した容器１の平面図である。
【００１９】
図３に示されるように、蓋体１０は、蓋部２０、枠部４０、ヒンジ部３０、第１嵌合部６０Ａ、６０Ｂおよび第２嵌合部７０Ａ、７０Ｂを有している。蓋体１０は、例えば、ポリプロピレン等の合成樹脂材で形成されている。蓋体１０は、例えば、インジェクション成形によって一体的に成形されている。
【００２０】
枠部４０は、側壁部７０の＋Ｚ側端部に開口部５６に沿って全周に亘って結合されている。枠部４０は、図５に示されるように、長辺部４８Ａ、４８Ｂと短辺部４９Ａ、４９Ｂとを有する平面視略矩形の枠状に形成されている。隣り合う長辺部４８Ａ、４８Ｂと短辺部４９Ａ、４９Ｂとは、円弧状に湾曲する湾曲部４７で接続されている。枠部４０は、図２に示すように、内側壁部４１、外側壁部４２および上側壁部４４とを有している。上側壁部４４は、張り出し部５１の上方に、側壁部７０の内側および外側に跨る長さでＸＹ平面と平行に配置されている。内側壁部４１は、上側壁部４４の内側端部から−Ｚ側に延出している。外側壁部４２は、上側壁部４４の外側端部から−Ｚ側に延出し、張り出し部５１に外側から嵌合する。外側壁部４２は、側壁部７０と対向する位置に爪部４３が設けられている。爪部４３は、−Ｚ側から張り出し部５１に係合するものであり、周方向に間隔をあけて複数設けられている。爪部４３は、内側（側壁部７０）に向かうに従って漸次＋Ｚ側に向かう斜面を有している。
【００２１】
枠部４０は、内側壁部４１と外側壁部４２との間に側壁部７０および張り出し部５１が位置した状態で−Ｚ側に相対移動したときに、爪部４３の斜面が張り出し部５１の外側に摺動しながら外側壁部４２が外側に弾性変形する。そして、爪部４３が張り出し部５１よりも−Ｚ側の位置に達すると、外側壁部４２の弾性復元力により爪部４３が張り出し部５１の−Ｚ側に移動して係合することにより、枠部４０と張り出し部５１とが結合される。すなわち、枠部４０と容器本体５０とが結合される。
【００２２】
ヒンジ部３０は、Ｘ軸方向（第１方向）に延びて形成されており、枠部４０と蓋部２０とを接続している。ヒンジ部３０は、枠部４０の長辺部４８Ａの外側に接続されている。ヒンジ部３０は、長辺部４８Ａの長さよりも短い長さに形成されている。ヒンジ部３０は、例えば、外側壁部４２の−Ｚ側端部に外側壁部４２よりも薄く形成されていることにより、ヒンジ部３０を支点とする蓋部２０の枠部４０に対する回動を可能としている。
【００２３】
蓋部２０は、枠部４０と同様に、図１に示すように、長辺部２８Ａ、２８Ｂと短辺部２９Ａ、２９Ｂとを有する平面視略矩形に形成されている。隣り合う長辺部２８Ａ、２８Ｂと短辺部２９Ａ、２９Ｂとは、円弧状に湾曲する湾曲部２７で接続されている。蓋部２０は、ヒンジ部３０を支点としてＸ軸と平行な軸周りに回動することにより、容器本体５０の開口部５６を開閉可能である。
【００２４】
蓋部２０は、天壁部８０と外側壁部（側壁）２５とを有している。天壁部８０は、蓋部２０が開口部５６を閉塞したときに開口部５６と対向する。天壁部８０は、平面視で中央部分に配置された平板部２１と、平板部２１の周囲に配置された湾曲部２２と、湾曲部２２の周囲に配置された内側壁部２４と、内側壁部２４の周囲に配置された周辺部２３とを有する。内側壁部２４は、蓋部２０が開口部５６を閉塞した際に枠部４０の内側壁部４１に内側から当接する。周辺部２３は、蓋部２０が開口部５６を閉塞した際に枠部４０の上側壁部４４と対向する。
【００２５】
外側壁部２５は、天壁部８０の端縁から−Ｚ側に延出し、蓋部２０が開口部５６を閉塞した際に、枠部４０の外側壁部４２に外側から当接する。短辺部２９Ａ、２９Ｂにおける外側壁部２５には、切欠部８５が設けられている。切欠部８５は、短辺部２９Ａ、２９Ｂにおける外側壁部２５、すなわち、＋Ｘ側および−Ｘ側に位置する外側壁部２５に、Ｙ方向の同一位置に配置されている。
【００２６】
切欠部８５は、Ｙ方向に関して、第１嵌合部６０Ａ、６０Ｂと第２嵌合部７０Ａ、７０Ｂとの間に配置されている。切欠部８５は、蓋部２０のＹ軸方向（第２方向）の長さが１／２となる位置よりも第１嵌合部６０Ａ、６０Ｂ側の位置に配置されている。すなわち、図１に示されるように、蓋部２０のＹ軸方向（第２方向）の長さをＬ１とし、ヒンジ部３０側からの切欠部８５のＹ軸方向の位置をＬ２とすると、切欠部８５は、下式（１）を満足する位置に配置されている。
Ｌ２＞（１／２）×Ｌ１      …（１）
【００２７】
また、切欠部８５は、蓋部２０が開口部５６を閉塞した際の開口部５６側である−Ｚ側に向かうに従って幅が大きくなり、当該開口部５６側で開口している。切欠部８５は、天板部８０に至る長さに形成されている。蓋部２０には、一方の切欠部８５と他方の切欠部８５とを結ぶ方向に配置され、ヒンジ部３０側に対する回動先端側（第１嵌合部６０Ａ、６０Ｂ側）の蓋部２０の屈曲を容易化する屈曲補助部２０ａが設けられている。屈曲補助部２０ａは、天壁部８０（すなわち、平板部２１、湾曲部２２、内側壁部２４、および周辺部２３）の裏面側（−Ｚ側）に形成された凹溝である。図６に示されるように、屈曲補助部２０ａの断面は略半円形状である。屈曲補助部２０ａの断面形状としては、半円形状に限られず矩形状や三角形状等の他の形状としてもよいが、蓋部２０の屈曲時の応力集中を緩和するためには半円等の曲線であることが好ましい。
【００２８】
第１嵌合部６０Ａ、６０Ｂは、蓋部２０の回動先端側の位置で蓋部２０と枠部４０とを着脱自在に嵌合させる。第１嵌合部６０Ａ、６０Ｂは、容器１のＸ方向の中心を挟んだ略等距離に間隔をあけて配置されている。なお、第１嵌合部６０Ａ、６０Ｂの構成は同様であるため、第１嵌合部６０Ｂの構成要素については、図中、第１嵌合部６０Ａの構成要素の符号に対して「Ｂ」の添字を付し、以下では第１嵌合部６０Ａについてのみ説明する。
【００２９】
図６は、図１におけるＢ−Ｂ線視断面図であり、第１嵌合部６０Ａの要部詳細図である。第１嵌合部６０Ａは、第１係合突部４６Ａと第１係合凹部６２Ａとを含む。第１係合突部４６Ａは、枠部４０における外側壁部４２の長辺部４８Ｂから外側（−Ｙ側）に突出して設けられている。第１係合突部４６Ａは、−Ｙ側に向かうに従って、漸次−Ｚ側に向かう方向に湾曲する形状に形成されている。
【００３０】
第１係合凹部６２Ａは、蓋部２０における外側壁部２５の長辺部２８Ｂから−Ｚ側に延出して設けられている。第１係合凹部６２Ａは、Ｘ方向について、第１係合突部４６Ａと同一位置に配置されている。第１係合凹部６２Ａは、蓋部２０が開口部５６を閉塞したときに、第１係合突部４６Ａと対向する位置に第１係合突部４６Ａと嵌合する孔部３１Ａと、孔部３１Ａの−Ｚ側に延出して配置された第１把持部３２Ａを有している。第１係合突部４６Ａが孔部３１Ａに嵌合することにより、第１係合凹部６２Ａにおける第１把持部３２Ａの＋Ｚ側の端面が第１係合突部４６Ａの−Ｚ側の端面と係合する係合面３６Ａが形成され、開口部５６が開放される方向への蓋部２０の回動が規制される。
【００３１】
第１嵌合部６０Ａ、６０Ｂにおける周辺部２３の−Ｚ側の面には、リブ１４が設けられている。リブ１４は、Ｙ方向に延びて内側壁部２４と外側壁部２５とを接続するものと、Ｘ方向に延びるものがそれぞれ間隔をあけて格子状に設けられている。リブ１４が設けられていることにより、蓋部２０は第１嵌合部６０Ａ、６０Ｂが配置された領域の変形が抑制される。
【００３２】
第２嵌合部７０Ａ、７０Ｂは、切欠部８５よりもヒンジ部３０側（＋Ｙ側）の位置で蓋部２０と枠部４０とを着脱可能に嵌合させる。
第２嵌合部７０Ａと第２嵌合部７０Ｂとは、Ｙ軸方向については同一位置に配置され、Ｘ軸方向については第２嵌合部７０Ａは短辺部２９Ａ、４９Ａに配置され、は第２嵌合部７０Ｂは短辺部２９Ｂ、４９Ｂに配置されている。なお、第２嵌合部７０Ａ、７０Ｂの構成は同様であるため、以下では第２嵌合部７０Ａについてのみ説明する。
【００３３】
図７は、図１におけるＣ−Ｃ線視断面図であり、第２嵌合部７０Ａの要部詳細図である。第２嵌合部７０Ａは、第２係合突部２６Ａと第２係合凹部２１Ａとを含む。第２係合突部２６Ａは、枠部４０における外側壁部４２の短辺部２９Ａから外側（＋Ｘ側）に突出して設けられている。第２係合突部２６Ａは、＋Ｘ側に向かうに従って、漸次−Ｚ側に向かう方向に湾曲する形状に形成されている。
【００３４】
第２係合凹部２１Ａは、蓋部２０における外側壁部２５の短辺部２９Ａに設けられている。第２係合凹部２１Ａは、蓋部２０が開口部５６を閉塞したときに、第２係合突部２６Ａと対向する位置に第２係合突部２６Ａと嵌合する孔部３３Ａを有している。孔部３３Ａよりも−Ｚ側に位置する外側壁部２５には、第２把持部３４Ａが−Ｚ側に突出して設けられている。第２係合突部２６Ａが孔部３３Ａに嵌合することにより、第２係合凹部２１Ａにおける第２把持部３４Ａの＋Ｚ側の端面が第２係合突部２６Ａの−Ｚ側の端面と係合する係合面３５Ａが形成され、開口部５６が開放される方向への蓋部２０の回動が規制される。係合面３５ＡのＺ方向の位置は、第１嵌合部６０Ａにおける係合面３６ＡのＺ方向の位置よりも＋Ｚ側であることが好ましいが、その位置は同等でも同様の機能を有する。
【００３５】
次に、上記構成の容器１の作用について説明する。
容器１において、開口部５６を閉塞するには、例えば、図４に示される開放状態の蓋部２０を操作して、ヒンジ部３０を支点として反時計回り方向に回動する。蓋部２０の回動により、回動中心であるヒンジ部３０に近く、蓋部２０と枠部４０との回動方向の距離が第１嵌合部６０Ａ、６０Ｂよりも短い第２嵌合部７０Ａ、７０Ｂが先に嵌合を始める。
【００３６】
すなわち、第２嵌合部７０Ａ、７０Ｂの外側壁部２５のうち、孔部３３Ａ、３３Ｂよりも−Ｚ側に位置する第２把持部３４Ａ、３４Ｂが、蓋部２０の回動が進むのに従って第２係合突部２６Ａ、２６Ｂとそれぞれ当接し、第２係合突部２６Ａ、２６Ｂの湾曲形状に沿って外側に弾性変形して撓む。さらに蓋部２０の回動が進み第２係合突部２６Ａ、２６Ｂと孔部３３Ａ、３３Ｂとが対向する位置に達すると、弾性復元力により第２把持部３４Ａ、３４Ｂが内側に移動して第２係合突部２６Ａ、２６Ｂが孔部３３Ａ、３３Ｂにそれぞれ嵌合する。これにより、第２嵌合部７０Ａ、７０Ｂにおいて、開口部５６が開放される方向への蓋部２０の回動が規制される。
【００３７】
また、第２嵌合部７０Ａ、７０Ｂにおいて、第２把持部３４Ａ、３４Ｂが第２係合突部２６Ａ、２６Ｂとそれぞれ当接した後に、第１嵌合部６０Ａ、６０Ｂにおいては、孔部３１Ａ、３１Ｂよりも−Ｚ側に位置する第１把持部３２Ａ、３２Ｂが、蓋部２０の回動が進むのに従って第１係合突部４６Ａ、４６Ｂとそれぞれ当接し、第１係合突部４６Ａ、４６Ｂの湾曲形状に沿って外側に弾性変形して撓む。さらに蓋部２０の回動が進み第１係合突部４６Ａ、４６Ｂと孔部３１Ａ、３１Ｂとが対向する位置に達すると、弾性復元力により第１把持部３２Ａ、３２Ｂが内側に移動して第１係合突部４６Ａ、４６Ｂが孔部３１Ａ、３１Ｂにそれぞれ嵌合する。これにより、第１嵌合部６０Ａ、６０Ｂにおいて、開口部５６が開放される方向への蓋部２０の回動が規制される。
【００３８】
第２嵌合部７０Ａ、７０Ｂにおける周辺部２３の−Ｚ側の面には、リブ１５が設けられている。リブ１５は、Ｘ方向に延びて内側壁部２４と外側壁部２５とを接続するものと、Ｙ方向に延びるものがそれぞれ間隔をあけて格子状に設けられている。リブ１５が設けられていることにより、蓋部２０は第２嵌合部７０Ａ、７０Ｂが配置された領域の変形が抑制される。
【００３９】
ここで、蓋部２０の回動を第１嵌合部６０Ａ、６０Ｂの近傍を操作して行う場合、第２嵌合部７０Ａ、７０Ｂが蓋部２０のＹ軸方向の長さが１／２となる位置よりもヒンジ部３０側ではなく回動先端側に配置されていると、第２嵌合部７０Ａ、７０Ｂは、回動操作部およびヒンジ部３０の両方から離れた位置となる。そのため、第２把持部３４Ａ、３４Ｂと第２係合突部２６Ａ、２６Ｂとの当接による抵抗で、第２嵌合部７０Ａ、７０Ｂの位置において回動方向とは逆側への蓋部２０の撓みが大きくなる。その結果、第１嵌合部６０Ａ、６０Ｂにおいて第１係合突部４６Ａ、４６Ｂと孔部３１Ａ、３１Ｂとの嵌合が完了しても第２嵌合部７０Ａ、７０Ｂにおいて第２係合突部２６Ａ、２６Ｂと孔部３３Ａ、３３Ｂとの嵌合が完了せず、蓋部２０による開口部５６の閉塞（密封性）が不十分の状態となる可能性がある。
【００４０】
これに対して、本実施形態では、第２嵌合部７０Ａ、７０Ｂが蓋部２０のＹ軸方向の長さが１／２となる位置よりもヒンジ部３０側に配置されヒンジ部３０との距離が短くなっているため、第２把持部３４Ａ、３４Ｂと第２係合突部２６Ａ、２６Ｂとの当接時に生じる第２嵌合部７０Ａ、７０Ｂの位置における回動方向とは逆側への蓋部２０の撓みが小さくなる。そのため、第１嵌合部６０Ａ、６０Ｂにおいて第１係合突部４６Ａ、４６Ｂと孔部３１Ａ、３１Ｂとの嵌合が完了したときに、第２嵌合部７０Ａ、７０Ｂにおいても第２係合突部２６Ａ、２６Ｂと孔部３３Ａ、３３Ｂとの嵌合が完了し、蓋部２０による開口部５６の閉塞が完了する。
【００４１】
容器１において、開口部５６を開放するには、第１嵌合部６０Ａ、６０Ｂにおける第１把持部３２Ａ、３２Ｂを把持して外側に撓ませて、第１係合突部４６Ａ、４６Ｂと孔部３１Ａ、３１Ｂとの嵌合を解除させつつ、ヒンジ部３０を中心にして蓋部２０を図３における時計回り方向に回動させる。
【００４２】
ここで、外側壁部２５には切欠部８５が設けられ、天壁部８０には、屈曲補助部２０ａが設けられているため、蓋部２０は切欠部８５が設けられた位置の曲げ強度が他の位置よりも小さくなっている。そのため、第１把持部３２Ａ、３２Ｂを把持して蓋部２０を回動させると、図８に示すように、蓋部２０は、回動先端側（−Ｙ側）がヒンジ部３０側に対して切欠部８５が設けられた位置において屈曲補助部２０ａを屈曲線として屈曲する。そのため、第１把持部３２Ａ、３２Ｂを把持して蓋部２０を回動させるために付与した力が第２嵌合部７０Ａ、７０Ｂに伝わりづらくなる。従って、蓋部２０を回動させて開口部５６を開放するためには、第１嵌合部６０Ａ、６０Ｂにおける嵌合を解除した後に、あらためて第２嵌合部７０Ａ、７０Ｂにおける第２把持部３４Ａ、３４Ｂを把持して外側に撓ませて、第２係合突部２６Ａ、２６Ｂと孔部３３Ａ、３３Ｂとの嵌合を解除する。これにより、第１嵌合部６０Ａ、６０Ｂおよび第２係合突部２６Ａ、２６Ｂにおける嵌合が解除されるため、蓋部２０を回動させて開口部５６を開放することができる。
【００４３】
以上説明したように、本実施形態の容器１は、第１嵌合部６０Ａ、６０Ｂおよび第２嵌合部７０Ａ、７０Ｂに対する嵌合解除を、一貫した連続的な作業で行うことができず、開口部５６を開放するためには手間が掛かってしまうため、子供では容易に開封することができずチャイルドプルーフとして機能することになる。また、本実施形態の容器１は、切欠部８５が第１嵌合部６０Ａ、６０Ｂ側に設けられているため、仮に蓋部２０が切欠部８５を介して開口しても、手指で容器本体５０内に収容された内容物を取り出し難くすることができる。
【００４４】
また、本実施形態の容器１では、蓋部２０のＹ軸方向の長さが１／２となる位置よりもヒンジ部３０側に切欠部８５が設けられているため、第１嵌合部６０Ａ、６０Ｂにおける第１把持部３２Ａ、３２Ｂと切欠部８５との距離が長くなり、開口部５６を開放する際に蓋部２０の天壁部８０を撓みやすくできる。そのため、本実施形態の容器１では、さらに子供では容易に開封することができなくなる。また、本実施形態の容器１では、第２嵌合部７０Ａ、７０Ｂも蓋部２０のＹ軸方向の長さが１／２となる位置よりもヒンジ部３０側に位置することになり、開口部５６の開閉を確実に行って容器１の密封性を確保しつつ、容易に開封ができないチャイルドプルーフに対応させることができる。
【００４５】
また、本実施形態の容器１では、第２嵌合部７０Ａ、７０Ｂが第１嵌合部６０Ａ、６０Ｂよりも＋Ｚ側に配置されているため、第１嵌合部６０Ａ、６０Ｂよりも先に第２嵌合部７０Ａ、７０Ｂにおける嵌合動作を開始させることができ、より確実に蓋部２０によって開口部５６を閉塞することができる。
【００４６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４７】
例えば、上記実施形態では、切欠部８５を短辺部２９Ａ、２９Ｂにおける外側壁部２５にそれぞれ一つずつ設ける構成としたが、各辺部に一つ以上設ける構成であってもよい。また、短辺部２９Ａ、２９Ｂではなく長辺部２８Ａ、２８Ｂに設けることにより、長辺部２８Ａ、２８Ｂにおける外側壁部２５が撓むことにより開封に手間が掛かる構成としてもよい。
【００４８】
また、上記実施形態では、切欠部８５を第１嵌合部６０Ａ、６０Ｂ側に設ける構成を例示したが、これに限られるものではなく、ヒンジ部３０側に設ける構成としてもよい。
【００４９】
また、上記実施形態では、屈曲補助部２０ａが凹溝である構成を例示したが、この構成に限定されず、凸形状や凹形状のリブや、Ｘ方向に延びる連続的に、あるいは間欠的に設けられた薄肉部としてもよい。
【００５０】
また、上記実施形態では、枠部４０に第１係合突部４６Ａ、４６Ｂおよび第２係合突部２６Ａ、２６Ｂが設けられ、蓋部２０に第１係合凹部６２Ａ、６２Ｂおよび第２係合凹部２１Ａ、２１が設けられる構成を例示したが、これに限定されるものではなく、枠部４０に第１係合凹部６２Ａ、６２Ｂおよび第２係合凹部２１Ａ、２１が設けられ、蓋部２０に第１係合突部４６Ａ、４６Ｂおよび第２係合突部２６Ａ、２６Ｂが設けられる構成であってもよい。
【００５１】
また、上記実施形態では、長辺部４８Ａ、４８Ｂおよび長辺部２８Ａ、２８Ｂにヒンジ部３０および第１嵌合部６０Ａ、６０Ｂが設けられ、短辺部４９Ａ、４９Ｂおよび短辺部２９Ａ、２９Ｂに第２嵌合部７０Ａ、７０Ｂが設けられる構成を例示したが、この構成の他に、長辺部４８Ａ、４８Ｂおよび長辺部２８Ａ、２８Ｂに第２嵌合部７０Ａ、７０Ｂが設けられ、短辺部４９Ａ、４９Ｂおよび短辺部２９Ａ、２９Ｂにヒンジ部３０および第１嵌合部６０Ａ、６０Ｂが設けられる構成であってもよい。
【００５２】
また、第２嵌合部７０Ａ、７０Ｂとしては、ヒンジ部３０に近い側の湾曲部２７、４７に少なくとも一部が配置される構成であってもよい。湾曲部２７、４７は、直線部と比較して曲げ強度が大きいため、蓋部２０の回動による開口部５６の閉塞動作に生じる撓みを小さくすることができ、蓋部２０の回動による開口部５６の閉塞をより確実に行うことが可能となる。
【００５３】
また、上記実施形態では、容器１が平面視矩形状である構成を例示したが、この構成に限定されず、例えば、平面視円形状、平面視楕円形状、平面視長円形状等の他の形状である構成としてもよい。容器１が平面視矩形状の他の形状である場合でも、第１嵌合部６０Ａ、６０Ｂをヒンジ部３０を支点とする回動先端側に設け、第２嵌合部７０Ａ、７０Ｂを蓋部２０の長さが１／２となる位置よりもヒンジ部３０側の位置に設ければよい。
【００５４】
また、上記実施形態では、第２嵌合部は短辺部２９Ａ、４９Ａおよび２９Ｂ、４９Ｂの双方に設けているが、片側一方のみでもよい。
【００５５】
また、上記実施形態では、蓋部２０、枠部４０、およびヒンジ部３０を一体的に成形する構成を例示したが、この構成の他に蓋部２０と枠部４０とを個別に成形したヒンジ構造としてもよい。
【００５６】
上記実施形態で示した容器１としては、収容空間５５に小分けした洗剤を収容する容器の他に、食品用の容器にも適用可能である。
【符号の説明】
【００５７】
１…容器、  １０…蓋体、  ２１Ａ、２１Ｂ…第２係合凹部、  ２５…外側壁部（側壁）、  ２６Ａ、２６Ｂ…第２係合突部、  ２７、４７…湾曲部、  ２８Ａ、２８Ｂ、４８Ａ、４８Ｂ…長辺部、  ２９Ａ、２９Ｂ、４９Ａ、４９Ｂ…短辺部、  ３０…ヒンジ部、  ３２Ａ…第１把持部、  ３４Ａ…第２把持部、  ４０…枠部、  ４６Ａ、４６Ｂ…第１係合突部、  ５０…容器本体、  ５６…開口部、  ６０…底壁部、  ６０Ａ、６０Ｂ…第１嵌合部、  ６２Ａ、６２Ｂ…第１係合凹部、  ７０…側壁部、  ７０Ａ、７０Ｂ…第２嵌合部、  ８５…切欠部
【図１】
0006618175.tif 000002
【図２】
0006618175.tif 000003
【図３】
0006618175.tif 000004
【図４】
0006618175.tif 000005
【図５】
0006618175.tif 000006
【図６】
0006618175.tif 000007
【図７】
0006618175.tif 000008
【図８】
0006618175.tif 000009